(57)【要約】【課題】  接合強度の高いエンドレスベルトを提供する。【解決手段】  ストレートのウレタン等からなる棒材の両端に傾斜接合面２，３を形成し、これを加熱溶着してエンドレスベルト１が形成される。【選択図】  図１
0003140712.tif 000002
【実用新案登録請求の範囲】
【請求項１】
エンドレスベルトであって、該ベルトは、その接合面が傾斜面から形成されることを特徴とする傾斜接合面を有するエンドレスベルト。
【請求項２】
前記エンドレスベルトが、加熱によって前記接合面が溶着する材質が形成されることを特徴とする請求項１に記載の傾斜接合面を有するエンドレスベルト。
【請求項３】
前記エンドレスベルトが、均一又は非均一の横断面形状を有するものからなることを特徴とする請求項１又は２に記載の傾斜接合面を有するエンドレスベルト。
【請求項４】
前記エンドレスベルトが、均一横断面の丸ベルトからなることを特徴とする請求項３に記載の傾斜接合面を有するエンドレスベルト。
【考案の詳細な説明】
【技術分野】
【０００１】
本考案は、エンドレスベルトに係り、特にその接合面が傾斜面からなり、加熱により接合面の溶着が可能な傾斜接合面を有するエンドレスベルトに関する。
【背景技術】
【０００２】
エンドレスベルトとしては極めて多種類のものが従来よりある。その横断面形状としても多様のものがあり、横断面形状としても均一のものや不均一のものがある。その公知技術として例えば、「特許文献１」や「特許文献２」があるが、これ等は接合部をフック等によって連結するものである。
【特許文献１】特開平１１−２３０２７１号（図１）
【特許文献２】特開平１１−２１０８３８号（図１）
【０００３】
一方、後に説明する本考案と比較的似ている公知技術として「特許文献３」が挙げられる。
【特許文献３】特開平８−３９６７４号（図１）
【考案の開示】
【考案が解決しようとする課題】
【０００４】
「特許文献３」の「特開平８−３９６７４号」の「エンドレスベルトの製造方法及びその製造装置」には均一断面のエンドレスベルトの接合方法が開示されている。このエンドレスベルトの接合方法としてはエンドレスベルトの軸線方向に対して直角に切断された両端面を互いに対抗せしめて高周波誘導加熱によって前記両端を溶着接合する技術が開示されている。
【０００５】
前記の「特許文献３」のエンドレスベルトは溶着接合が確実に行われエンドレスベルト自体としては強度も高いものではあるが、前記のように接合面が軸線方向に直角のものからなり接合面積が限定されて接合強度をそれ以上高めることができない問題点がある。
また、溶着接合手段として高周波誘導加熱を使用するものであり、装置コストや加工コストが高価となる問題点がある。また、エンドレスベルトの横断面形状の変化に対して溶着手段を大きく変更する必要があり作業性が悪く、作業コストも大となる問題点がある。
【０００６】
本考案は、以上の問題点を解決すべく考案されたものであり、接合部の接合面積が大きく、また、面積を変化させることも可能であり、屈曲疲労向上の向上が図れると共に傾斜面の形成の手段やその溶着手段が比較的簡便で安価のものからなり、接合面の形成もその溶着作業も容易にできて作業性の向上や作業コストの低減が可能な傾斜接合面を有するエンドレスベルトを提供することを目的とする。
【課題を解決するための手段】
【０００７】
本考案は、以上の目的を達成するために、請求項１の考案は、エンドレスベルトであって、該ベルトは、その接合面が傾斜面から形成されることを特徴とする。
【０００８】
また、請求項２の考案は、前記エンドレスベルトが、加熱によって前記接合面が溶着する材質が形成されることを特徴とする。
【０００９】
また、請求項３の考案は、前記エンドレスベルトが、均一又は非均一の横断面形状を有するものからなることを特徴とする。
【００１０】
また、請求項４の考案は、前記エンドレスベルトが、均一横断面の丸ベルトからなることを特徴とする。
【考案の効果】
【００１１】
本考案の請求項１の傾斜接合面を有するエンドレスベルトによれば、接合面が傾斜面からなるため、接合面積が広く、接合強度の向上や屈曲疲労度の向上が図れ、耐久性の向上ができる効果が上げられる。
【００１２】
また、請求項２の傾斜接合面を有するエンドレスベルトによれば、このエンドレスベルトは加熱によって溶着可能のものからなり、加熱方法を特に限定する必要がなく、溶着接合を容易に、かつ低コストで実施することができる。
【００１３】
また、請求項３の傾斜接合面を有するエンドレスベルトによれば、このエンドレスベルトは横断面が均一のものでも不均一のものでも可能であり、その横断面形状も任意のものでよく、広範囲の利用が可能である。
【００１４】
また、請求項４の傾斜接合面を有するエンドレスベルトによれば、使用用途の広い丸ベルトに適用可能であり、高強度の丸ベルトが安価に製造される。
【考案を実施するための最良の形態】
【００１５】
以下、本考案の傾斜接合面を有するエンドレスベルトの実施の形態を図面を参照して詳述する。なお、以下の説明は、横断面が均一の丸ベルトについて１つの実施例として説明するものであり、勿論これ以外の種々の形状のものや横断面が不均一のものに対しても当然適用されることは勿論である。
【実施例１】
【００１６】
図１は本考案の丸型のエンドレスベルト１を示すものである。このエンドレスベルト１は、例えば、軟質のウレタン材を用いたものであり図示のように円形に曲げ形成することが容易にできるものである。このエンドレスベルト１はストレートの丸材の両端部に接合面を形成し、この両接合面を溶着して形成される。
なお、本考案におけるこのエンドレスベルト１は前記の接合面に特徴を有するものである。
【００１７】
図２は接合面の形状を説明するものであり、ストレートの丸材の両端には傾斜接合面２，３が形成され、この傾斜接合面２，３は同一の傾斜角度θを有するものからなる。図２（ｂ）は図２（ａ）の傾斜接合面２，３をＡ矢視から見た拡大図であり、この傾斜接合面は略楕円形のものからなり、縦寸法ｄで横寸法ａの形状からなる。この縦寸法ｄはストレートの丸材の直径に相当するものである。
【００１８】
一方、横寸法ａはｄ／ｓｉｎθからなり、ｄ／ｓｉｎθ＞ｄからなる。
一般に、楕円の総面積はπ・ａ／２・ｄ／２＝πｄ２／４ｓｉｎθからなり、ストレートの丸材の直角横断面の面積はπｄ２／４からなる。よって、両者を比較すると１／ｓｉｎθだけ傾斜接合面２，３の面積が大きいことになります。従って、傾斜接合面２，３を溶着した場合は、その溶着部の強度は１／ｓｉｎθだけ大きくなり接合強度がその分だけ高くなります。
【００１９】
図３は傾斜接合面２，３の溶着方法を模式的に示したものである。図示のように傾斜接合面２，３を互いに接触させた後、押圧手段４により傾斜接合面２，３の接触離れがないようにし、この状態で加熱手段例えば加熱コテ５により押圧手段４を介して傾斜接合面２，３の部分を加熱することにより行われる。ウレタン材の場合は約１５０℃で溶着ができるため、一般的な加熱コテ５により、この適度の加熱は容易である。
【００２０】
以上の方法で作成されたエンドレスベルト１は前記のように接合部の面積が広いため、接合強度が高く屈曲疲労に対しても傾斜面でないものに較べて疲労度が小さいものとなる。
【００２１】
以上の実施例は丸ベルトについて説明したが、前記のようにベルトの形状は任意のものでなく、これ等に対しても前記の丸状のエンドレスベルト１とほぼ同一の効果を上げることができる。
【産業上の利用可能性】
【００２２】
本考案の傾斜接合面を有するエンドレスベルトはエンドレスベルトのすべてに適用可能であり、簡便で安価のものからなり、その利用範囲は極めて広い。
【図面の簡単な説明】
【００２３】
【図１】本考案のエンドレスベルトの平面図（ａ）及び図１（ａ）のＡ−Ａ線拡大断面図（ｂ）。
【図２】本考案のエンドレスベルトの両端の傾斜接合面の溶着前の形状を示す平面図（ａ）及び図２（ａ）のＡ矢視の拡大図（ｂ）。
【図３】本考案のエンドレスベルトの傾斜接合面の溶着方法を示す模式的断面図。
【符号の説明】
【００２４】
１  エンドレスベルト
２  傾斜接合面
３  傾斜接合面
４  押圧手段
５  加熱コテ
【図１】
0003140712.tif 000003
【図２】
0003140712.tif 000004
【図３】
0003140712.tif 000005